(57)【特許請求の範囲】
【請求項１】
デッキボードの外周縁に、上方に延びる突起が形成されているとともに、パレット同士が段積みできるように、デッキボードが、フォーク差し込み口が形成されている側面より水平方向に拡がって形成されている合成樹脂製パレットにおいて、フォーク差し込み口に挿入され、荷物と合成樹脂製パレットを緊締するバンドの少なくとも幅分だけ、フォーク差し込み口の上方には、前記突起が形成されておらず、また、前記突起が形成されていないデッキボードには、前記フォーク差し込み口に挿入され、荷物と合成樹脂製パレットを緊締するバンドの少なくとも幅分に亘たって、且つ、フォーク差し込み口が形成されている側面まで達する、前記バンドが挿着可能な切欠部が形成されていることを特徴とする合成樹脂製パレット。
【請求項２】
突起に沿って、デッキボードのデッキ面に、デッキボードの全周に亘たって、凹溝を形成するとともに、該凹溝に、デッキ面より、若干突出するように緩衝部材を挿着したことを特徴とする請求項１に記載の合成樹脂製パレット。
【発明の詳細な説明】
【０００１】
【発明の属する技術分野】
本発明は、デッキボードのデッキ面に種々の荷物を載置して運搬或いは保管するための合成樹脂製パレットに関するものである。
【０００２】
【従来の技術】
従来、合成樹脂製パレット（以下、単に、「パレット」ともいう。）のデッキボードのデッキ面に載置された荷物が、横方向にずれ落ちないように、デッキボードの外周縁に上方に延びる突起を形成するとともに、パレット同士の段積みが可能なように、デッキ面の面積を拡大した合成樹脂製パレットが知られている（例えば、特公昭５２−３９５３２号公報、実公平５−４４２８１号公報等）。
【０００３】
【発明が解決しようとする課題】
上述した従来の合成樹脂製パレットのフォーク差し込み口に沿った垂直断面図である図７を用いて、本発明が解決しようとする課題について説明する。
【０００４】
１は、パレットＰのデッキボードであり、デッキボード１には、荷物Ａが載置されるデッキ面１ａが形成されている。また、デッキボード１の外周縁には、上方に延びる突起１ｂが形成されており、デッキ面１ａに載置された荷物Ａが横方向にずれた際には、荷物Ａが突起１ｂに当接し、デッキボード１から滑り落ちないように構成されている。更に、パレット同士が段積みできるように、デッキボード１は、フォーク差し込み口２が形成されている側面３より水平方向に拡がって形成されている。４は、フォーク差し込み口２を構成する底部であり、５は、デッキボード１の裏面から垂下されたリブであり、また、６は、底部４の裏面から垂下されたリブである。
【０００５】
ところで、パレットＰのデッキ面１ａに荷物Ａを載置した際に、フォーク差し込み口２にバンドＢを挿入して、荷物ＡとパレットＰをバンドＢにより緊締し、より確実に、しっかりと、パレットＰに荷物Ａを固定することが行われているが、従来のパレットＰにおいては、フォーク差し込み口２の上方にも突起１ｂが形成されているために、突起１ｂにもバンドＢが掛けられ締めつけられるので、突起１ｂが変形したり、損傷する等の問題があった。
【０００６】
また、フォーク差し込み口２の上方にも突起１ｂが形成されているために、フォークの差し込み作業の際に、不注意により、フォークが突起１ｂに衝突し、突起１ｂが損傷することがあり、従って、フォークのフォーク差し込み口２への差し込み作業を慎重に行わなければならず、作業効率が低下するという問題があった。
【０００７】
本発明の目的は、上述した従来の合成樹脂製パレットが有する課題を解決することにある。
【０００８】
【課題を解決するための手段】
本発明は、上述した目的を達成するために、デッキボードの外周縁に、上方に延びる突起が形成されているとともに、パレット同士が段積みできるように、デッキボードが、フォーク差し込み口が形成されている側面より水平方向に拡がって形成されている合成樹脂製パレットにおいて、第１には、フォーク差し込み口に挿入され、荷物と合成樹脂製パレットを緊締するバンドの少なくとも幅分だけ、フォーク差し込み口の上方には、前記突起が形成されておらず、また、前記突起が形成されていないデッキボードには、前記フォーク差し込み口に挿入され、荷物と合成樹脂製パレットを緊締するバンドの少なくとも幅分に亘たって、且つ、フォーク差し込み口が形成されている側面まで達する、前記バンドが挿着可能な切欠部を形成したものであり、第２には、突起に沿って、デッキボードのデッキ面に、デッキボードの全周に亘たって、凹溝を形成するとともに、該凹溝に、デッキ面より、若干突出するように緩衝部材を挿着したものである。
【０００９】
【実施例】
以下に、本発明の実施例について説明するが、本発明の趣旨を越えない限り何ら、本実施例に限定されるものではない。なお、上述した従来の合成樹脂製パレットの構成部材と同じ部材には、同一の符号が使用されている。
【００１０】
パレットＰのデッキボード１には、荷物Ａが載置されるデッキ面１ａが形成されており、また、デッキボード１の外周縁には、上方に延びる突起１ｂが形成されており、デッキ面１ａに載置された荷物Ａが横方向にずれた際には、荷物Ａが突起１ｂに当接し、デッキボード１から滑り落ちないように構成されている。また、パレット同士が段積みできるように、デッキボード１は、フォーク差し込み口２が形成されている側面３より水平方向に拡がって形成されている。上述した従来の合成樹脂製パレットと同様に、フォーク差し込み口２には、フォーク差し込み口２を構成する底部４が形成されている。
【００１１】
本発明においては、フォーク差し込み口２に挿入され、荷物ＡとパレットＰとを緊締するバンドＢの幅分だけ、少なくとも、フォーク差し込み口２の上方には突起１ｂを形成しないように構成したものである。換言すれば、フォーク差し込み口２の上方に位置する突起１ｂに、少なくとも、バンドＢの幅分で、且つ、デッキボード１のデッキ面１ａまで達する切欠部７を形成したものである。このように、フォーク差し込み口２の上方に位置する突起１ｂに切欠部７を形成し、フォーク差し込み口２にバンドＢを挿入して、荷物ＡとパレットＰをバンドＢにより緊締する際に、バンドＢを切欠部７に挿着するようにしたので、上述した従来の合成樹脂製パレットのように、バンドＢによる荷物ＡとパレットＰの緊締により、突起１ｂが変形したり、損傷するようなことがない。
【００１２】
上述した切欠部７は、フォーク差し込み口２の横方向の幅ｄ１全域に亘って形成することもできる。このように、切欠部７をフォーク差し込み口２の横方向の幅ｄ１全域に亘って形成することにより、フォークの差し込み作業の際に、フォークが突起１ｂに衝突するかどうかを懸念することなく、フォークのフォーク差し込み口２への差し込み作業を行うことができるので、フォークのフォーク差し込み口２への差し込み作業の作業効率が向上する。
【００１３】
切欠部７を形成する突起１ｂの相対する端部１ｂ’を、デッキ面１ａに向かって、互いに接近する方向に傾斜させて、切欠部７の正面形状を、逆台形状に形成することにより、切欠部７に挿入されるバンドＢを、デッキ面１ａまで確実に案内することができるとともに、切欠部７を形成したための突起１ｂの強度低下を、最小限に抑えることができる。更に、切欠部７付近の突起１ｂの肉厚を、他の部分より厚くすることにより、切欠部７を形成したための突起１ｂの強度低下を、より抑えることができる。
【００１４】
また、少なくとも、切欠部７の下方に位置するデッキボード１の裏面に、リブ１ｃを垂下することにより、切欠部７を形成したためのデッキボード１の強度低下を抑制することができる。
【００１５】
図５及び図６に示された別の実施例は、突起１ｂに沿って、デッキボード１のデッキ面１ａに凹溝８を形成するとともに、該凹溝８に、デッキ面１ａより、若干突出するように、ゴムや軟質合成樹脂製の弾性のある柔らかい緩衝部材９を挿着したものである。このように、デッキボード１のデッキ面１ａに形成された凹溝８を、デッキボード１の全周に亘って形成し、凹溝８の全体に緩衝部材９を挿着することも、また、デッキボード１のデッキ面１ａの一部に凹溝８を形成し、該凹溝８に、デッキ面１ａより、若干突出するように、緩衝部材９を挿着することもできる。このような緩衝部材９を配設することにより、デッキ面１ａに載置された荷物Ａが摺動した際に、荷物Ａが、緩衝部材９に当接するので、荷物Ａが損傷するようなことが防止できるとともに、荷物Ａが、直に、突起１ｂに当接して、荷物Ａや突起１ｂが損傷を受けるようなことが防止できる。
【００１６】
上述した実施例には、パレットＰの各側面３に２つのフォーク差し込み口２か形成された、所謂、４方差しのパレットＰが示されているが、パレットＰの相対する側面３に２つのフォーク差し込み口２か形成された、所謂、２方差しのパレットＰに、本発明を適用することもできる。
【００１７】
【発明の効果】
本発明は、以上説明した構成を有しているので、以下に記載する効果を奏するものである。
【００１８】
フォーク差し込み口の上方に位置する突起に、フォーク差し込み口に挿入されて、荷物と合成樹脂製パレットを緊締するバンドの少なくとも幅分で、且つ、デッキボードのデッキ面まで達する切欠部を形成したので、バンドによる荷物とパレットの緊締により、突起が変形したり、損傷するようなことがない。
【００１９】
切欠部の正面形状を逆台形状に形成したので、切欠部に挿入されるバンドを、デッキ面まで確実に案内することができるとともに、切欠部を形成したための突起の強度低下を、最小限に抑えることができる。
【００２０】
切欠部付近の突起の肉厚を厚くしたので、切欠部を形成したための突起の強度低下を、より抑えることができる。
【００２１】
切欠部の下方に位置するデッキボードの裏面に、リブを垂下したので、切欠部を形成したためのデッキボードの強度低下を抑制することができる。
【００２２】
突起に沿って、デッキボードのデッキ面に凹溝を形成するとともに、該凹溝に、デッキ面より、若干突出するように緩衝部材を挿着したので、デッキ面に載置された荷物が摺動した際に、荷物が、緩衝部材に当接するので、荷物が損傷するようなことが防止できるとともに、荷物が、直に、突起に当接して、荷物や突起が損傷を受けるようなことが防止できる。
【図面の簡単な説明】
【図１】図１は本発明の合成樹脂製パレットの平面図である。
【図２】図２は本発明の合成樹脂製パレットの正面図である。
【図３】図３は荷物が載置されるとともにバンドが掛けられた状態の本発明の合成樹脂製パレットの正面図である。
【図４】図４は本発明の合成樹脂製パレットのフォーク差し込み口に沿った部分垂直断面図である。
【図５】図５は本発明の別の実施例の合成樹脂製パレットの平面図である。
【図６】図６は図５に示されている合成樹脂製パレットの部分垂直断面図である。
【図７】図７は従来の合成樹脂製パレットのフォーク差し込み口に沿った部分垂直断面図である。
【符号の説明】
Ａ・・・・・・・・荷物
Ｂ・・・・・・・・バンド
Ｐ・・・・・・・・合成樹脂製パレット
１・・・・・・・・デッキボード
１ａ・・・・・・・デッキ面
１ｂ・・・・・・・突起
７・・・・・・・・切欠部
８・・・・・・・・凹溝
９・・・・・・・・緩衝部材
【図１】
0004084870.tif 000002
【図２】
0004084870.tif 000003
【図３】
0004084870.tif 000004
【図４】
0004084870.tif 000005
【図５】
0004084870.tif 000006
【図６】
0004084870.tif 000007
【図７】
0004084870.tif 000008